(57)【要約】開示された発明は、自動車、特に車両ルーフ用のブラインド構造に関する。前記ブラインド構造は、その側縁領域それぞれに沿ってガイドストリップ（２６）を有する少なくとも１つのブラインドシート（１８）を備えている。ガイドストリップ（２６）は、荷重ばねとして設計されかつ、ブラインドシート（１８）の伸展方向に沿って延びかつ、ガイドレール（２４Ａ，２４Ｂ）のガイド溝（３６）で案内されかつ、前記伸展方向に延びてブラインドシートを前記伸展方向に対し横方向に引張るガイド溝（３６）から離れたときには、ブラインドシートを巻回体（２２）にする。本発明によると、巻回体（２２）は、ブラインドシート（１８）の伸展方向に対して横方向に延びると共に、両側に配設されたガイド溝（３６）のレベルに配置された巻取り軸（３４）を有する。【選択図】図２
2010536650.tif 000002
【特許請求の範囲】
【請求項１】
自動車、特に車両ルーフ用のブラインド構造であって、
少なくとも１つのブラインドシート（１８）を備え、
前記ブラインドシート（１８）は、荷重ばねとして構成されかつ、その側縁領域のそれぞれに配設された、ガイドストリップ（２６）を有し、
前記ガイドストリップ（２６）は、前記ブラインドシート（１８）の伸展方向に沿って延びると共に、前記伸展方向に延びて、当該ブラインドシートを前記伸展方向に対し横方向に引張るガイドレール（２４Ａ，２４Ｂ）のガイド溝（３６）で案内されかつ、前記ガイド溝（３６）を離れた後に、当該ブラインドシート（１８）を巻回体（２２）にし、
前記巻回体（２２）は、前記ブラインドシート（１８）の伸展方向に対し横方向に延びると共に、前記ガイドレール（２４Ａ，２４Ｂ）の長手方向延長線を基準として、両側に配設されたガイド溝（３６）のレベルに配置される巻取り軸（３４）を有していることを特徴とするブラインド構造。
【請求項２】
請求項１に記載のブラインド構造において、
前記ガイド溝（３６）はそれぞれ、前記巻回体（２２）に連続する前記ブラインドシートの部分を案内するための、巻取り方向に曲げられたガイド面を有し、当該ガイド面の湾曲は、前記巻回体（２２）の巻取り方向と同じ方向であることを特徴とするブラインド構造。
【請求項３】
請求項１又は２に記載のブラインド構造において、
前記ガイド溝（３６）はそれぞれ、実質的に真っ直ぐに延びるガイドレール部分（３０）の端部に配置される、前記ガイドレール（２４Ａ，２４Ｂ）の端部アタッチメント（３２）における前記巻取り軸のレベルに形成されていることを特徴とするブラインド構造。
【請求項４】
請求項３に記載のブラインド構造において、
前記アタッチメント（３２）はそれぞれ、少なくとも前記巻取り軸（３４）のレベルに、前記巻取り軸（３４）を基準としたインナシェル（４６）及び前記巻取り軸（３４）を基準としたアウタシェル（４４）を有しており、
前記シェル（４４，４６）は、前記巻取り軸（３４）のレベルに前記ガイド溝を区画すると共に、前記実質的に真っ直ぐに延びるガイドレール部分の領域において前記ガイド溝（３６）を区画するウェブ（４８，５０）と、対応していることを特徴とするブラインド構造。
【請求項５】
請求項３又は４に記載のブラインド構造において、
前記アタッチメント（３２）は、前記巻回体（２２）の縁領域のための、側方当接面（５４）を有していることを特徴とするブラインド構造。
【請求項６】
請求項５に記載のブラインド構造において、
前記当接面（５４）は、アーチ形状の前記巻回体（２２）が形成されるように、好ましくは１°から１０°の範囲で、車幅方向に対して、車両前端部方向に及び／又は鉛直方向に角度がついた法線を有していることを特徴とするブラインド構造。
【請求項７】
請求項４に記載のブラインド構造において、
前記インナシェル（４６）は、車体中心線を向いた側に、定荷重ばねを有する巻回体（２２）の支持面を有していることを特徴とするブラインド構造。
【請求項８】
請求項７に記載のブラインド構造において、
前記支持面は、前記インナシェル（４６）に設けられた傾斜面（６４）から形成されていることを特徴とするブラインド構造。
【請求項９】
請求項７に記載のブラインド構造において、
前記支持面は、前記インナシェルに設けられた突起（６２）に形成されていることを特徴とするブラインド構造。
【請求項１０】
請求項１ないし９の何れか１項に記載のブラインド構造において、
前記巻回体（２２）の巻取り要素は、巻取り軸（３４）の領域に設けられていることを特徴とするブラインド構造。
【請求項１１】
請求項１０に記載のブラインド構造において、
前記巻取り要素は、ボルト（５８）であることを特徴とするブラインド構造。
【請求項１２】
請求項１１に記載のブラインド構造において、
前記ボルト（５８）は、前記荷重ばねを案内するための端部要素を有することを特徴とするブラインド構造。
【請求項１３】
請求項１１又は１２に記載のブラインド構造において、
前記ボルト（５８）は、円錐台形状を有していることを特徴とするブラインド構造。
【請求項１４】
請求項１０ないし１３の何れか１項に記載のブラインド構造において、
前記巻取り要素は、前記荷重ばね（２６）の領域に、回転可能に取り付けられた要素を有していることを特徴とするブラインド構造。
【請求項１５】
請求項１４に記載のブラインド構造において、
前記回転可能に取り付けられた要素は、ボルトに取り付けられたスリーブ（６０）であることを特徴とするブラインド構造。
【請求項１６】
請求項３に記載のブラインド構造において、
前記アタッチメント（３２）は、実質的に真っ直ぐに延びる前記ガイドレール部分（３０）に連結される位置決めピン（３８）を有していることを特徴とするブラインド構造。
【請求項１７】
請求項４に記載のブラインド構造において、
前記アタッチメント（３２）は、当該アタッチメントを車両構造体に固定するための、少なくとも１つの固定突出部（４０）を有していることを特徴とするブラインド構造。
【請求項１８】
請求項４に記載のブラインド構造において、
前記アタッチメント（３２）は、ルーフ開放システムの駆動ケーブル用のガイドチャネル（６８）を有しており、当該ガイドチャネルは、実質的に真っ直ぐに延びる前記ガイドレール部分のガイドチャネルと連続していることを特徴とするブラインド構造。
【請求項１９】
請求項１ないし１８の何れか１項に記載のブラインド構造において、
前記定荷重ばね（２６）とは別に、前記ブラインドシート（１６）に作用する少なくとも１つの巻取り補助具が、前記巻回体（２２）の横方向に分配配置されていることを特徴とするブラインド構造。
【請求項２０】
請求項１９に記載のブラインド構造において、
前記巻取り補助具は、前記巻回体の少なくとも一部の領域において、横断面が平らな楕円形状になるように、前記巻回体を巻き取り可能に形成されていることを特徴とするブラインド構造。
【請求項２１】
請求項１９又は２０に記載のブラインド構造において、
前記巻取り補助具は、巻き取られたブラインドシート（１８）が、巻芯なしでアーチ状の前記巻回体（２２）を形成するように、特にアーチ状に配置された前記巻回体（２２）に対して３次元的に配置されていることを特徴とするブラインド構造。
【発明の詳細な説明】
【技術分野】
【０００１】
本発明は、請求項１の前提部に記載されているように、自動車のブラインド構造に関する。
【背景技術】
【０００２】
この種のブラインド構造は、例えば特許文献１において知られており、特に、車両のルーフ領域に配置された透明な車体面の日除けとして役に立つ。公知のブラインド構造は、巻取り管に巻き取られ、そこから巻き出し可能であると共に、その側縁に沿って伸展方向に延びるガイドレールで案内されるブラインドシートを備えている。ガイドレールでの案内のために、ブラインドシートは、その両縁領域のそれぞれに、金属製のストリップから成る定荷重ばねでありかつ、各ガイドレールのガイド溝と係合する縁部補強材を有している。定荷重ばねは、ガイドレールのガイド溝の後側の領域において、渦巻き状となるように自動的に巻き取られる。この過程において、巻取り方向の張力は、ブラインドシートの前端部で車両横方向に延びると共に、側方のガイドレールで案内される引き枠に作用する。
【０００３】
最初に述べた種類のブラインド構造は、特許文献２においても知られている。このブラインド構造もまた、その外縁部それぞれに、渦巻きばねを有するブラインドシートを備えている。各渦巻きばねは、自動車のルーフ開口部の各縦縁に沿って配置されたガイドレールで案内される。ブラインドシートの巻取り補助具は、各ガイドレールの後部に配置されている。巻取り補助具は、巻取り方向に曲げられた表面形状となっており、そこでは、ウェブシートの巻き取り及び繰り出しの間、各渦巻きばねが案内される。
【先行技術文献】
【特許文献】
【０００４】
【特許文献１】独国特許出願公開１０２００５０２４６５７号
【特許文献２】独国実用新案第２０２００５００６４１５号
【発明の概要】
【発明が解決しようとする課題】
【０００５】
前述したような先行技術に係るブラインド構造では、巻取り領域や巻回体領域において、車幅方向の引張りがないという欠点がある。このことは、こうした領域において、部材上に明らかな皺が形成されるというリスクを伴う。そうして、こうした皺が、ブラインドが閉じた状態にあるときに、車内から見える虞がある。
【０００６】
さらに、ブラインド構造を、自動車又はスライドルーフシステムに組み付ける前に、ブラインドシートが、その巻取り領域において、内方、すなわち、ブラインド構造の中心方向にしわくちゃになり得るという問題がある。このことは、ブラインド構造に損傷を与え得る。特に定荷重ばね、さらにはブラインドシートが、結果として破損し得る。
【０００７】
これらのブラインド構造では、所定の巻取り動作が、回転可能に取り付けられた巻取りシャフトのような巻芯によって保証される。しかしながら、この種の構成要素は、費用の追加を招き、さらには、ブラインド構造の作動においては、望ましくない騒音の発生も引き起こし得る。さらに、可動する構成要素は、しばしば技術的問題も引き起こす。
【０００８】
本発明は、前述した種類のブラインド構造として、最適化されたブラインド引張り特性を備えたブラインド構造を提供することを目的としている。
【課題を解決するための手段】
【０００９】
本発明によると、この目的は、請求項１の特徴を有するブラインド構造によって達成される。
【００１０】
すなわち、荷重ばねとして構成されかつその側縁領域それぞれに配設されたガイドストリップを、有するブラインドシートを少なくとも１つ備えた、自動車、特に車両ルーフ用のブラインド構造が提供される。ガイドストリップは、ブラインドシートの伸展方向に沿って延びると共に、その伸展方向に延びてブラインドシートを伸展方向に対し横方向に引張るガイドレールのガイド溝に案内されかつ、そのガイド溝を出た後、ブラインドシートを巻回体にする。巻回体は、ブラインドシートの伸展方向に対して横方向に延びると共に、両側に配設されたガイド溝のレベルに位置する巻取り軸を有する。こうすることで、ブラインドシートは、巻回体から巻き出される全領域にわたって、伸展方向に対して横方向に引張られた又は、ピンと張られた状態に保持される。これにより、皺の形成のリスクは、巻回体のレベルにおいてさえ、最小限に抑えられる。側方のガイドが、ブラインドシートを、巻取り領域においても伸展方向に対し横方向に引張る結果、側方のガイドによる利点が、巻取り領域においても得られる。こうして、ブラインドシートが魅力的な外観となるように、そのブラインドシートは、延出方向の全長にわたって効果的に引張られる。ブラインドシートのばたつきは、本発明に係る構成により、抑えられる又は、なくなる。皺の形成のリスクは最小限に抑えられる。このことは、ウェブシートが見える範囲において、皺が見えてしまうリスクをなくすこともできる。車幅方向への所定の引張りは、ウェブシート又はそれと同様のものが、ばたつくことにより生じる騒音のリスクも、実質的になくなる。
【００１１】
本発明に係るブラインド構造において、巻取り軸は、ガイドレールに対し、車両垂直方向にずれると共に、ガイドレールに交差するように配置されている。つまり、「レベル」という言葉は最も広義に解釈され、車両の垂直方向に基づき、構成要素間の相対的な垂直方向位置に関連するのではなくではなく、むしろ車両長手方向における構成要素間の相対位置に関連している。
【００１２】
側方のガイドは、運搬、組み立て、又は操作中に、定荷重ばねを有するブラインドシートの縁又は縁領域が、巻取り領域においてブラインド構造の中央面の方向に移動してブラインドシートの波打ちを引き起こさないようにもする。巻回体を形成するための回転可能な構成要素は、必ずしも必要ではない。
【００１３】
さらに、本発明のブラインド構造に係る実施形態によれば、巻取り領域を、ブラインドが見える範囲でのガイド高さとは独立して配置することができるから、車両ルーフ領域において利用可能な、全体的なスペースを、より有効に利用することも可能にする。ブラインドが見える領域と巻取り領域との間で、荷重ばねを大きく曲げることができる。
【００１４】
さらに、巻取り領域、すなわち、定荷重ばねが巻き取られる領域を、予め組み立てておくことが可能であるので、組み付けモジュールとしてブラインド構造を提供することができる。
【００１５】
本発明に係るブラインド構造の好ましい実施形態では、ガイド溝はそれぞれ、巻回体に連続するブラインドシートのために、伸展方向に実質的に曲げられたガイド面を有し、当該ガイド面の湾曲は、巻回体の巻取りと同一方向である。荷重ばねが、ガイド溝によって巻取り方向に曲げられるので、この種のガイド面は、ブラインドシートの巻取り動作又は、特に渦巻きばねとして構成された荷重ばねの巻取り動作を促進する。
【００１６】
ブラインド構造の実施形態を基本的に変更することなく、特定の種類の車両においてスペースを最適化した状態で、巻回体を配置することができるように、ガイド溝はそれぞれ、実質的に略真っ直ぐに延びるガイドレール部分の端部に配置される、ガイドレールの端部アタッチメントにおける巻取り軸のレベルに形成される。アタッチメントは、特にプラスチック材料を射出成形したものであり、その外形は、様々な要求に応じて大きく変更させることができる。実施形態において実質的に真っ直ぐに延びるガイドレール部分は、特に押出アルミニウムプロファイルである。実質的に真っ直ぐに延びるガイドレール部分及びアタッチメントに相当する端の部分を、例えばプラスチック材料の射出成形によって一体成形することも、もちろん考えられる。
【００１７】
「実質的に真っ直ぐに延びる」という言葉は、本件においては、ガイドレール部分について用いられ、車両ルーフの形に沿って、ウェブシートの伸展方向にわずかに湾曲するガイドレール（すなわち、大きな曲率半径を有するガイドレール）も含む。
【００１８】
スペースの最適化のために、ガイド溝はそれぞれ、特に巻取り軸のレベルにおいて、巻取り軸を基準としたインナシェル及び巻取り軸を基準としたアウタシェルによって形成されていてもよい。シェルはそれぞれ、車両垂直方向に略Ｓ字形状に曲げられていると共に、両側において実質的に真っ直ぐに延びるガイドレール部分の各ガイド溝を区画するウェブに、一体化している又は、接していてもよい。
【００１９】
好ましい実施形態として、ウェブシートによって覆われることが好ましいアウタシェルは、実質的に真っ直ぐに延びるガイドレール部分に相当するウェブと接している。このことは、ガイド溝が間断なく形成されることを保証する。このことはまた、ウェブシートの車幅方向への引張り、ひいては魅力的な外観を保証する。
【００２０】
アタッチメントのアウタシェル（シェルは、ウェブシートによって覆われている）の厚さは、前記ガイドレール部分から離れる方向、すなわち、車両後方向に向かって減少していてもよい。これにより、アウタシェルは、車両の垂直方向に対し自由端側の方向に向かって、先細になっている。こうした場合においても、巻回体領域において、延出方向に対し横方向又は車幅方向に、ウェブシートを引っ張ることを保つために、車体中心線を基準とした外側に配置されるアウタシェルの縁は、前記ガイドレール部分に隣接する領域と後端部との間で、車体中心線から離れるようになることが好ましい。特に、車体中心線を基準とした外側に配置されるアウタシェルの縁は、車幅方向に実質的にＳ字形状となっていてもよい。このことは、アウタシェルの幅を増加させる。インナシェルの外縁は、アウタシェルの外縁と平行となるように延びていてもよい。
【００２１】
渦巻き状に巻き取られる荷重ばねの巻き取りを適切に案内するために、アタッチメントは、巻回体の縁領域のそれぞれに対応する側方当接面を有していてもよい。
【００２２】
仮に、当接面が、車幅方向に対して、車両前端部の方向及び／又は垂直方向に角度がついた法線を有しているならば、巻回体をアーチ形状に形成する及び／又はできる限りピンと張った巻取り動作を行う上で有利である。法線の角度を車両前端部の方向に、例えば１°から１０°の範囲で設定することは、実質的に円錐形状の表面形状となるように、各定荷重ばねを巻き取ることになる。つまり、このことは、巻回体領域において、ブラインドシートの十分な引張りを保証すると共に、ブラインドシートから形成される巻回体を巻き取っている間、ブラインドにおける定荷重ばねを有する領域が、車体中央線の方向に逃げることを妨げる。当接面の法線を垂直方向に対して角度を付けることにより、巻回体を、車両ルーフのアーチ形状又は凹みに応じたアーチ形状にすることができる。
【００２３】
巻回体の巻き取りの間に、荷重ばねが曲がったり、車体中央線の方向に逃げたりしないように、車体中心線に対向する領域に、巻取り軸又は巻回体のレベルで、定荷重ばねを有する巻回体のための支持面をガイド溝のインナシェルに設けてもよい。支持面は、溝内にある荷重ばねの、外部での巻き取りを保持する。このことは、ブラインド構造の巻取り動作に有利である。
【００２４】
支持面は、例えば、巻回体に対向するインナシェルの側面に形成された傾斜面（ベベル）から形成されている。但し、代替的に、支持面は、インナシェルに形成された垂直な鍔やウェブにより形成されてもよい。
【００２５】
荷重ばねの巻き取りをさらに補助するために、巻回体のための巻取り要素を、巻取り軸の領域に設けてもよい。巻取り要素は、例えば、各荷重ばねを内側において案内するための、エンドプレートに設けることが可能なボルト又はピンである。巻回体内部の荷重ばねが各々、車体中心線を基準とした外側に向かって保持されるように、ボルト又はピンは、車体中心線の方向に向かって拡径する円錐台形であってもよい。
【００２６】
さらに、巻取り要素が、荷重ばね領域に回転可能に取り付けられた要素を含むことによって、巻取り要素の機能は最適化されてもよい。例えば、前述したボルト又はピンは、回転可能に取り付けられる。但し、回転可能に取り付けられた要素は、ボルト又はピンに取り付けられたスリーブであってもよい。
【００２７】
ブラインドシートの巻回体の巻取り軸のレベルに配置されるアタッチメントを、実施形態において実質的に真っ直ぐに延びるガイド部分に対し適切に位置づけすることができるように、アタッチメントは、そのガイドレール部分に挿入可能な位置決めピンを有していてもよく、それによってアタッチメントは、前記ガイド部分の、ウェブによって区画される凹部や溝と係合するようにしてもよい。
【００２８】
さらに、車両構造体に固定するために、アタッチメントは、少なくとも１つの固定突出部を有していてもよい。固定突出部は、例えば、アタッチメントを、ねじによって車両構造体に固定するために、特にスロット状の孔を有していてもよい。
【００２９】
アタッチメントがルーフ開放システムの駆動ケーブルと接触しないことを保証するために、実質的に真っ直ぐに延びるガイドレール部分において駆動ケーブルのために設けられたガイドチャネルと連続する、駆動ケーブルのためのガイドチャネルを、アタッチメントに設けてもよい。
【００３０】
本発明に係るブラインド構造の特別な実施形態において、荷重ばねとは別に、ブラインドシートと直接的に接触して作用する少なくとも１つの巻取り補助具が、巻回体に沿って分配配置されている。要求に応じて、巻回体の断面を、特に大略Ｕ字形状、半円形状又は、半楕円形状となるように、少なくとも１つの巻取り補助具を形成することによって、巻き取られた状態の巻回体の断面形状を、巻取り方向に対し横方向に、その巻回体に沿って設定することができる。例えば、複数の巻取り補助具を適切に形成することによって、車室内で、車両の垂直方向に必要なスペースが最小になるように、巻回体は平らにされてもよい。
【００３１】
本発明に係るブラインド構造の特別な実施形態において、巻取り補助具は、巻き取られたブラインドシートが、巻芯なしでアーチ状の巻回体が形成可能なように、特にアーチ状に配置された巻回体に沿って３次元的に配置されている。
【００３２】
本発明の主題のさらに有利な点及び有利な配置構造は、詳細な説明、図面及び特許請求の範囲から推測される。
【００３３】
ブラインド構造の具体例としての実施形態は、概略的に単純化した形で図面に示されていると共に、以下の詳細な説明に、より詳しく記載されている。
【図面の簡単な説明】
【００３４】
【図１】図１は、車両ルーフの概略平面図である。
【図２】図２は、車両ルーフのブラインド構造におけるガイドレールの側面図である。
【図３】図３は、ガイドレールの後部アタッチメントの斜視図である。
【図４】図４は、アタッチメントの別の斜視図である。
【図５】図５は、図２に係るガイドレールの巻取り領域の平面図である。
【図６】図６は、図５のVI−VI線における、ガイドレールの断面図である。
【図７】図７は、図５のVII−VII線における、ガイドレールの断面図である。
【図８】図８は、図５のVIII−VIII線における、巻取り領域の断面図である。
【図９】図９は、図５のIX−IX線における、ガイドレールの縦断面図である。
【図１０】図１０は、円筒状の軸受ピンを有する巻取り領域の別の実施形態を示している。
【図１１】図１１は、円錐状の軸受ピンを有する巻取り領域のさらに別の実施形態を示している。
【図１２】図１２は、回転可能に取り付けられた軸受スリーブを有する巻取り領域のさらに別の実施形態を示している。
【図１３】図１３は、巻回体のための側方の当接面を有しない巻取り領域の実施形態を示している。
【図１４】図１４は、実施形態において曲げられた巻回体を有する巻取り領域の別の実施形態を示している。
【図１５】図１５は、車両前端方向に設定された巻取り軸を有する、定荷重ばねの巻取り領域のさらに別の実施形態を示している。
【図１６】図１６は、定荷重ばねの巻き取りのための内側支持面を有するブラインド構造の巻取り領域を示している。
【図１７】図１７は、定荷重ばねの巻き取りのための、ベベル状又はランプ状の支持面を有するブランド配置構造の巻取り領域を示している。
【図１８】図１８は、ガイドレールの後部アタッチメントのさらに別の実施形態の側面図である。
【発明を実施するための形態】
【００３５】
図１は、透明なカバー部材（ここでは、より詳細には示さない）により閉じることが可能なルーフ切り抜き部１４を有する車両ルーフ１２を備えた自動車１０を示している。
【００３６】
車両ルーフ１２は、ルーフ切り抜き部１４の日除けのために、その先端部が引き枠２０により定められると共に、後側で巻き取られて巻回体２２を形成するブラインドシート１８を有し、より詳細には示さないが電気的に駆動されるブラインド構造１６（図示）を備えている。ブラインドシート１８は、その側縁それぞれがガイドレール２４Ａ又は２４Ｂで案内される。
【００３７】
図２ないし９から分かるように、ブラインドシート１８は、ガイドレール２４Ａ及び２４Ｂでの案内のために、その側縁領域それぞれに、ブラインドシート１８の縁袋部２８に縫い込まれると共に、定荷重ばねから成るガイドストリップである縁部補強材２６を有する。ガイドレール２４Ａ及び２４Ｂの外側に位置する定荷重ばねの領域からブラインドシート１８に、引張ったり、開けたりする力が作用するように、縁部補強材又は定荷重ばね２６は、渦巻き状に巻き上がろうとする性質を有する。それによってここで説明するブラインドシート１８は、自動的に巻き上がって巻回体２２を形成する。この力は、引っ張り枠２０及び／又はブラインドシート１８側方のガイド領域における適当な対抗力により打ち消される。
【００３８】
ガイドレール２４Ａ及び２４Ｂは、車体中心線に対して、互いに鏡像対称に構成されているので、進行方向の左側に配置されたガイドレール２４Ａについてのみ後述する。
【００３９】
ガイドレール２４Ａは、ルーフ切り抜き部１４の側縁に略沿って延びる真っ直ぐなガイドレール部分３０を備え、その後側には、真っ直ぐなガイドレール部分３０と隣接すると共に、巻回体２２の巻取り軸３４のレベルに配置されるアタッチメント３２を備えている。
【００４０】
定荷重ばね２６が案内されるガイド溝３６は、真っ直ぐなガイドレール部分３０及び後部アタッチメント３２で形成され、ガイド溝３６は、その先端部、すなわち、車両前端に位置する端部において、引き枠２０に接続されている。
【００４１】
ガイドレール２４Ａの後部又はアタッチメント３２において、定荷重ばね２６を有するブラインドシート１８の縁領域は、ガイドレール２４Ａから離れる。そうして、引き枠２０が格納されるとき、すなわち、ルーフ切り抜き部１４が開けられている最中に、定荷重ばね２６の付勢力によってブラインドシート１８が自動的に巻き取られて、巻回体２２を形成する。
【００４２】
アタッチメント３２は、図３及び４それぞれに単独で示されているように、当該アタッチメント３２内に設けられているガイド溝３６の部分が、真っ直ぐなガイドレール部分３０に設けられたガイド溝３６の部分と連続するように、真っ直ぐなガイドレール部分に対向する側に、その真っ直ぐなガイドレール部分３０の対応する凹部又は溝に挿入可能な２つの位置決めピン３８を有する。
【００４３】
ルーフ構造体又は車両構造体に固定するために、アタッチメント３２は、車体中心線を基準とした外側及び内側それぞれに、当該アタッチメント３２を車両構造体に締結することができるスロット溝４２を有する固定突出部４０を備えている。
【００４４】
車両を長手方向に見て、巻回体２２の巻取り軸３４の位置よりも上側で延びるガイド溝３６は、アウタ又はアッパシェル４４によって、上部、すなわち、巻取り軸３４を基準とした外側が定められ、インナ又はロアシェル４６によって、底部、すなわち、巻取り軸３４を基準とした内側が定められる。アウタシェル４４及びインナシェル４６はそれぞれ、ガイド溝３６が、アタッチメント３２の領域において、車両の垂直方向に略Ｓ字形状となるように曲げられている。ガイド溝３６の湾曲部は、後端側の自由端の領域で、巻回体２２の巻き取りと同一方向に延びている。この湾曲部は、定荷重ばね２６の巻取り動作、ひいてはブラインドシート１８の巻取り動作を促進すると共に、容易にする。巻回体２２の巻き取りと同一方向に向けられる湾曲部の頂部は、後端部に対して、真っ直ぐなガイドレール部分３０の方向にずれている。結果として、巻芯又はそれと同様の物のような別の補助手段なしで、巻回体２２の軸３４を、アタッチメント３２のレベル、つまりガイドレール２４Ａのレベルに保持することができる。アタッチメント３２の領域におけるガイド溝３６のＳ字形状の湾曲部は、車両ルーフ領域における全体的なスペースの有効利用も可能にする。全体的なスペースの節約は、ブラインド構造１６の下に位置する車室内の高さに有利である。
【００４５】
アタッチメント３２のアウタシェル４４は、その先端部の領域において、真っ直ぐなガイドレール部分３０のアッパウェブ４８と連なっており、インナシェル４６の上部は、真っ直ぐなガイドレール部分３０のロアウェブ５０の上部と連なっている。ガイド溝３６は、一方がアッパウェブ４８及びアウタシェル４４で、他方がロアウェブ及びインナシェル４６で区画されている。ブラインドシート１８は、定荷重ばね２６が前記ガイド溝の上側及び下側を定める面と面平行にされつつ、ガイド溝３６で案内されるように、アッパウェブ４８及びアウタシェル４４の付近でＵ字形状に折り曲げられている。
【００４６】
図６から分かるように、袋部２８又は定荷重ばね２６は、ガイドレール部分３０の領域において、その下側部分がガイドレール２４Ａの段部５２の上に載置されている。アタッチメント３２の領域において、袋部２８は、アタッチメント３２のアウタシェル４４によって形成された上側を区画する面及びアタッチメント３２のインナシェル４６によって形成された下側を区画する面それぞれに、実質的に接している。
【００４７】
アタッチメント３２のアウタシェル４４の厚みは、ガイドレール部分３０から離れる方向、すなわち、車両後方に向かうに従って減少している。それでも、巻回体２２の領域において、ブラインドシートを車幅方向に引張った状態に保持するために、アウタシェル４４の幅は、ガイドレール部分３０に連なる領域と後端部との間で大きくなっており、車体中心線を基準とした外側に配置されるアウタシェル４４の縁は、車幅方向に略Ｓ字形状になっている。インナシェル４６の外側の縁は、適切には、外側に配置されるアウタシェル４４の縁と平行に延びている。
【００４８】
さらに、アタッチメント３２は、図８から分かるように、車幅方向の端部で巻回体２２を規制する隣接壁又は側壁５２を有しており、この隣接壁又は側壁５２は、定荷重ばね２６を有しかつブラインドシート１８を巻き取る巻回体２２の領域におけるガイド面５４を構成する。
【００４９】
図１０は、図１ないし９に示された種類のブラインド構造の別の実施形態における巻取り領域を示している。ブラインド構造は、前述したものと略同じであるが、ガイドレール２４Ａの後部アタッチメント３２の領域に、定荷重ばね２６を巻き取るための巻芯として、ボルト又はピン５６が設けられている点が異なる。ボルト又はピン５６は、後部アタッチメントにしっかりと連結され、巻回体２２の巻取り軸３４に位置づけられかつ、特に定荷重ばね２６を有する領域において、ブラインドシート１８の所定の巻き取りを保証する
図１１は、図１ないし９に示された種類のブラインド構造のさらに別の実施形態を示している。このブラインド構造もまた、図１０に係るブラインド構造と略同じであるが、定荷重ばね２６を有する巻回体２２の縁領域のために、円筒状の軸受ピンではなく、円錐状に広がった軸受ピン５６’を有する点が異なる。この軸受ピン５６’の形状は、ブラインドシート１８の巻回体の内側部分が、その縁領域において、車体中心線の方向にずれないことを保証する。
【００５０】
図１２は、図１ないし９に示された種類のブラインド構造のさらに別の実施形態を示しており、このブラインド構造もまた、図１０に係るブラインド構造と略同じであるが、後部アタッチメント３２にしっかりと連結された軸受ピンではなく、アタッチメント３２に連結されたボルト５８に回転可能に取り付けられたスリーブ６０を有しており、スリーブ６０には、定荷重ばね２６を有する巻回体２２の領域が巻かれる。回転可能に取り付けられたスリーブ６０は、この縁領域において、ほとんど摩擦がない巻き取りを保証する。
【００５１】
図１３は、図１ないし９に示された種類のブラインド構造のさらに別の実施形態を示している。この実施形態は、図１ないし９に係るブラインド構造に対して、巻回体２２のための側方のガイド壁を有していない点が異なる。ブラインドシート１８が巻き取られたときに、端部に当接する部材なしで、巻回体２２が形成される。
【００５２】
図１４は、図１ないし９に係るブラインド構造と略同じブラインド構造のさらに別の実施形態を示している。但し、図１４に示された実施形態は、図１ないし９に係る実施形態に対して、後部アタッチメント３２が、ガイド溝３６の平面に対して、９０°の角度をとらず、車体中心線の方向に傾いた側壁５２’を有する点が異なる。当接面５４に直交する垂線は、それゆえ、上向きになっている。このことは、巻回体２２が湾曲、つまりブラインドシート１８がアーチ形状に形成されるようになり、定荷重ばね２６の領域における巻回体２２の巻取り軸は、車幅方向に延びずに、水平面に関連して設定されることを意味している。ブラインドシート１８の巻回体２２の両端部は、対称的に形成されかつ、斜めに設定された側壁５２’の両側で支持される。
【００５３】
図１５は、図１ないし９に示された種類のブラインド構造のさらに別の実施形態を示している。このブラインド構造もまた図１ないし９に係るブラインド構造と略同じであるが、車両の縦向き中央面に対し垂直に配置された軸に対して、約１°から１０°の間の角度だけ傾いた側壁５２”を有する点が異なる。結果として、ブラインドシートは、外向きに広がる円錐形で巻き取られる。但し、巻回体２２の端部が側壁５２”に隣接しているので、ブラインドシートは、定荷重ばね２６の間に位置する中央領域では、より効果的に引張られる。インナシェル４６の内面の軸は、側壁５２”によって形成された当接面に直交する垂線に対し平行に向けられている。
【００５４】
図１６は、図１３に係るブラインド構造と略同じであるが、インナシェル４６の下側での外部巻き取りが車両外側で保持され、ひいては、良好な巻取り動作が保証されるように、車体中心線を基準とした内側の支持面で、定荷重ばね２６を有する巻回体２２領域を支持するウェブ又は突起６２が、後部アタッチメント３２のインナシェル４６の内側に形成されている点が異なる。
【００５５】
本発明に係るブラインド構造の図１７に示した実施形態は、図１６に係るブラインド構造と略同じであるが、支持面が、突起ではなく、車両の縦向き中央面の方向に斜めに傾斜する面６４を底部に有するインナシェル４６により形成されている点が異なる。この構成は、最適化された巻取り動作を導くように、内側の巻取り領域においても、巻回体２２内のブラインドシートを引張った状態に保持する。
【００５６】
図１８は、本発明に係るブラインド構造のさらに別の実施形態を示しており、図１ないし９に係るブラインド構造と略同じであるが、ガイドレール２４Ａの後部アタッチメント３２のインナシェル４６が、ガイドレールの縦方向に延びると共に、一般に射出成形され、プラスチック材料から成るアタッチメント３２の製造において、射出成形金型からの良好な離型を可能にする開口部６６を有する点が異なる。アッパシェル４４が、こうした理由のために、同様の開口部を有していることも考えられる。
【００５７】
真っ直ぐなガイドレールの肩部３０は、一般的に、押出アルミニウムプロファイルから形成されている。
【００５８】
別の実施形態（より詳細には示さない）において、巻回体、ひいては、巻回体の巻取り軸を、ガイドレールの後部アタッチメントよりも上に配置することもできる。ガイド溝３６には、後部アタッチメントの領域に、巻回体の巻き取りと同一方向に向けられた簡単な湾曲部のみを設けてもよい。スペースを増やすために、ロアシェル及び／又はアッパシェルを省略してもよい。
【００５９】
本発明に係るブラインド構造のガイドレールとして、前述した後部アタッチメントによって構成された後端領域を有するように一体成形することも考えられる。
【符号の説明】
【００６０】
１０              自動車
１２              車両ルーフ
１４              ルーフ切抜き部
１６              ブラインド構造
１８              ブラインドシート
２０              引き枠
２２              巻回体
２４Ａ，２４Ｂ    ガイドレール
２６              縁部補強材
２８              縁袋部
３０              ガイドレール部分
３２              アタッチメント
３４              巻取り軸
３６              ガイド溝
３８              位置決めピン
４０              固定突出部
４２              スロット溝
４４              アウタシェル
４６              インナシェル
４８，５０        ウェブ
５２              側壁
５４              ガイド面
５６              軸受ピン
５８              ボルト
６０              スリーブ
６２              突起
６４              設定面
６６              開口部
６８              ガイドチャネル
【図１】
2010536650.tif 000003
【図２】
2010536650.tif 000004
【図３】
2010536650.tif 000005
【図４】
2010536650.tif 000006
【図５】
2010536650.tif 000007
【図６】
2010536650.tif 000008
【図７】
2010536650.tif 000009
【図８】
2010536650.tif 000010
【図９】
2010536650.tif 000011
【図１０】
2010536650.tif 000012
【図１１】
2010536650.tif 000013
【図１２】
2010536650.tif 000014
【図１３】
2010536650.tif 000015
【図１４】
2010536650.tif 000016
【図１５】
2010536650.tif 000017
【図１６】
2010536650.tif 000018
【図１７】
2010536650.tif 000019
【図１８】
2010536650.tif 000020
【国際調査報告】
2010536650.tif 000021
2010536650.tif 000022
2010536650.tif 000023
2010536650.tif 000024
2010536650.tif 000025
2010536650.tif 000026